(57)【要約】      （修正有）【課題】連続再生される各画像に対してユーザが所望する拡大率や中心位置がそれぞれ異なる場合でも、ユーザが所望する拡大画像を再生表示する。【解決手段】表示用画像を表示する表示手段２０５と、画像データの画像全体を表す表示用画像を表示手段２０５に表示させる画像再生モード、および表示手段２０５に表示する画像データの画像の表示倍率を拡大した画像データの画像の一部の領域を表す表示用画像を表示手段２０５に表示する拡大再生モードを切り替える再生モード切替手段１１８と、拡大再生モードにおいて画像データの表示倍率を変更する倍率変更手段１１３、１１４と、拡大再生モードにおいて画像データの表示位置を変更する表示位置変更手段１１７と、表示倍率および表示位置を示す情報を画像データごとの拡大画像情報として画像データに対応付けて記録媒体２０６、２０７に記録する情報記録手段２００とを備える。【選択図】図２
2008263350.tif 000002
【特許請求の範囲】
【請求項１】
記録媒体から読み出した画像データに基づいて作成した表示用画像を表示する表示手段と、
前記画像データの画像全体を表す表示用画像を前記表示手段に表示させる画像再生モード、および前記画像再生モードにおける表示用画像の表示倍率に対して前記表示手段に表示する前記画像データの画像の表示倍率を拡大した前記画像データの画像の一部の領域を表す表示用画像を前記表示手段に表示する拡大再生モードを切り替える再生モード切替手段と、
前記拡大再生モードにおいて前記画像データの表示倍率を変更する倍率変更手段と、
前記拡大再生モードにおいて前記画像データの表示位置を変更する表示位置変更手段と、
前記表示倍率および前記表示位置を示す情報を前記画像データごとの拡大画像情報として前記画像データに対応付けて前記記録媒体に記録する情報記録手段とを備えることを特徴とするカメラ。
【請求項２】
請求項１に記載のカメラにおいて、
前記情報記録手段は、前記記録媒体において、前記表示用画像のデータファイルとは別の情報記録ファイルに前記拡大画像情報を記録することを特徴とするカメラ。
【請求項３】
請求項１に記載のカメラにおいて、
前記情報記録手段は、前記表示用画像のデータファイルのヘッダに前記拡大画像情報を記録することを特徴とするカメラ。
【請求項４】
請求項１乃至３のいずれか一項に記載のカメラにおいて、
前記拡大画像情報を前記記録媒体へ記録することをユーザが指示する記録指示手段をさらに備えることを特徴とするカメラ。
【請求項５】
請求項１乃至４のいずれか一項に記載のカメラにおいて、
前記再生モード切替手段は、前記拡大再生モードから前記画像再生モードに一操作で切り替える切替操作手段を含み、この切替操作手段により前記画像再生モードに切換わったとき、前記情報記録手段は、前記拡大画像情報を前記記録媒体に記録することを特徴とするカメラ。
【請求項６】
請求項１乃至５のいずれか一項に記載のカメラにおいて、
前記情報記録手段は、前記拡大再生モードにおいて表示倍率が変更された前記表示用画像が表示されている場合に、コマ送りおよびコマ戻しのいずれかが行なわれると、前記拡大画像情報を前記記録媒体に記録することを特徴とするカメラ。
【請求項７】
請求項１乃至６のいずれか一項に記載のカメラにおいて、
前記拡大再生モードにおいて再生が指示された画像を前記記録媒体から読み出すとき、前記読み出した画像およびその画像に対応付けられている前記拡大画像情報に基づいて、拡大した表示用画像を生成する拡大画像生成手段をさらに備えることを特徴とするカメラ。
【請求項８】
請求項７に記載のカメラにおいて、
前記拡大画像生成手段は、前記拡大再生モードにおいて、コマ送りおよびコマ戻しのいずれかにより次の表示用画像が指定されると、指定された次の表示用画像に対応付けられた前記拡大画像情報を用いて拡大した表示用画像を生成することを特徴とするカメラ。
【請求項９】
請求項７または８に記載のカメラにおいて、
前記倍率変更手段は、表示用画像を拡大する拡大変更手段と縮小する縮小変更手段とを含み、
前記拡大変更手段は、前記画像再生モードにおいて表示中の表示用画像に対して拡大表示を指示し、
前記拡大画像生成手段は、前記拡大変更手段により指示された前記表示用画像に対応付けられた前記拡大画像情報を用いて拡大した表示用画像を生成することを特徴とするカメラ。
【請求項１０】
請求項９に記載のカメラにおいて、
前記再生モード切替手段は、前記画像再生モードと、前記拡大再生モードと、複数の画像データの画像情報を含む表示用画像を前記表示手段に表示する複数画像再生モードとを切り替え可能であり、
前記複数画像再生モードにおいて、前記画像データに対応付けて記録されている拡大画像情報に示された該画像データの表示領域のみを表す複数表示用画像データを基に前記表示用画像データを作成する画像処理部を有することを特徴とするカメラ。
【発明の詳細な説明】
【技術分野】
【０００１】
本発明は、再生時に拡大した画像の拡大率と中心座標とを記録できるカメラに関する。
【背景技術】
【０００２】
従来から、拡大した画像を連続して再生表示することができるカメラが知られている。従来のカメラにおいては、拡大された画像を連続して再生表示する際に、所定の拡大率や中心位置で拡大した画像が再生表示される（たとえば、特許文献１）。
【特許文献１】特開２００５−２８６５５０号公報
【発明の開示】
【発明が解決しようとする課題】
【０００３】
しかしながら、連続再生される各画像に対してユーザが所望する拡大率や中心位置がそれぞれ異なる場合には、ユーザが所望する拡大画像が再生表示されない。
【課題を解決するための手段】
【０００４】
請求項１の発明によるカメラは、記録媒体から読み出した画像データに基づいて作成した表示用画像を表示する表示手段と、画像データの画像全体を表す表示用画像を表示手段に表示させる画像再生モード、および画像再生モードにおける表示用画像の表示倍率に対して表示手段に表示する画像データの画像の表示倍率を拡大した画像データの画像の一部の領域を表す表示用画像を表示手段に表示する拡大再生モードを切り替える再生モード切替手段と、拡大再生モードにおいて画像データの表示倍率を変更する倍率変更手段と、拡大再生モードにおいて画像データの表示位置を変更する表示位置変更手段と、表示倍率および表示位置を示す情報を画像データごとの拡大画像情報として画像データに対応付けて記録媒体に記録する情報記録手段とを備えることを特徴とする。
請求項２の発明は、請求項１のカメラにおいて、情報記録手段は、記録媒体において、表示用画像のデータファイルとは別の情報記録ファイルに拡大画像情報を記録することを特徴とする。
請求項３の発明は、請求項１のカメラにおいて、情報記録手段は、表示用画像のデータファイルのヘッダに拡大画像情報を記録することを特徴とする。
請求項４の発明は、請求項１乃至３のいずれか一項のカメラにおいて、拡大画像情報を記録媒体へ記録することをユーザが指示する記録指示手段をさらに備えることを特徴とする。
請求項５の発明は、請求項１乃至４のいずれか一項のカメラにおいて、再生モード切替手段は、拡大再生モードから画像再生モードに一操作で切り替える切替操作手段を含み、この切替操作手段により画像再生モードに切換わったとき、情報記録手段は、拡大画像情報を記録媒体に記録することを特徴とする。
請求項６の発明は、請求項１乃至５のいずれか一項のカメラにおいて、情報記録手段は、拡大再生モードにおいて表示倍率が変更された表示用画像が表示されている場合に、コマ送りおよびコマ戻しのいずれかが行なわれると、拡大画像情報を記録媒体に記録することを特徴とする。
請求項７の発明は、請求項１乃至６のいずれか一項のカメラにおいて、拡大再生モードにおいて再生が指示された画像を記録媒体から読み出すとき、読み出した画像およびその画像に対応付けられている拡大画像情報に基づいて、拡大した表示用画像を生成する拡大画像生成手段をさらに備えることを特徴とする。
請求項８の発明は、請求項７のカメラにおいて、拡大画像生成手段は、拡大再生モードにおいて、コマ送りおよびコマ戻しのいずれかにより次の表示用画像が指定されると、指定された次の表示用画像に対応付けられた拡大画像情報を用いて拡大した表示用画像を生成することを特徴とする。
請求項９の発明は、請求項７または８のカメラにおいて、倍率変更手段は、表示用画像を拡大する拡大変更手段と縮小する縮小変更手段とを含み、拡大変更手段は、画像再生モードにおいて表示中の表示用画像に対して拡大表示を指示し、拡大画像生成手段は、拡大変更手段により指示された表示用画像に対応付けられた拡大画像情報を用いて拡大した表示用画像を生成することを特徴とする。
請求項１０の発明は、請求項９のカメラにおいて、再生モード切替手段は、画像再生モードと、拡大再生モードと、複数の画像データの画像情報を含む表示用画像を表示手段に表示する複数画像再生モードとを切り替え可能であり、複数画像再生モードにおいて、画像データに対応付けて記録されている拡大画像情報に示された該画像データの表示領域のみを表す複数表示用画像データを基に表示用画像データを作成する画像処理部を有することを特徴とする。
【発明の効果】
【０００５】
本発明によれば、表示倍率および表示位置を画像ごとの拡大画像情報として記録するので、ユーザの所望する表示倍率と表示位置で拡大画像を表示することができる。
【発明を実施するための最良の形態】
【０００６】
本発明によるカメラの一実施の形態を図１〜５を参照して説明する。電子カメラの背面図である図１に示すように、カメラボディ１０はその背面に、液晶モニタ２０５、再生ボタン１１１、メニューボタン１１２、縮小ボタン１１３、拡大ボタン１１４、拡大率決定ボタン１１５、コマンドダイヤル１１６、操作部材１１７、ＯＫボタン１１８、および削除ボタン１１９を備える。
【０００７】
図２は、実施の形態による電子カメラの要部構成を説明する図である。カメラボディ１０には、撮影レンズ１２０を備えるレンズ鏡筒１１０が交換可能に装着されている。レンズ鏡筒１１０内には、レンズ群１２０ａ〜１２０ｃから成る撮影レンズ１２０、絞り１４０が設けられている。
【０００８】
カメラボディ１０の内部には、被写体を撮像するための撮像素子２０が設けられている。撮像素子２０はＣＣＤやＣＭＯＳ等が使用される。撮影レンズ１２０と撮像素子２０との間には、撮影レンズ１２０を通過した被写体光をファインダ光学系へと反射するクイックリターンミラー７０が設けられている。
【０００９】
クイックリターンミラー７０で反射された被写体光は、撮像素子２０と光学的に等価な位置に設けられたフォーカシングスクリーン９０上に結像する。フォーカシングスクリーン９０上に結像された被写体像は、ペンタプリズム３０により接眼レンズ５０に導かれて撮影者に観察されるとともに、測光センサ４０にも導かれる。
【００１０】
撮影の際には、クイックリターンミラー７０が被写体光の光路上から光路外（図２の破線部）へと移動し、撮像素子２０上に被写体像が結像する。撮像素子２０は、撮像面に結像された被写体像に対応する信号電荷の蓄積および蓄積電荷の掃き出しを行ない、Ａ／Ｄ変換回路２０１は、撮像素子２０から出力されたアナログ撮像信号をデジタル画像信号に変換して、画像処理回路２０２へ出力する。画像処理回路２０２では、入力されたデジタル画像信号に対して、ホワイトバランス調整、シャープネス調整、ガンマ補正、階調調整などの画像処理が施され、画像データとして制御回路２００へ出力される。
【００１１】
制御回路２００はＣＰＵ、ＲＯＭ、ＲＡＭおよび各種周辺回路から構成され、電子カメラの制御を行なうマイクロコンピュータである。また、画像処理回路２０２から制御回路２００へ入力されたデジタル画像信号は、圧縮／伸張回路２０４に送出されＪＰＥＧ形式などの方式により圧縮されて、バッファメモリ２０６または記録媒体２０７に記録される。
【００１２】
Ａ／Ｄ変換回路２０３は、測光センサ４０から得られた測光信号をＡ／Ｄ変換して制御回路２００へ出力する。制御回路２００は、入力された測光信号に基づいて算出された被写体の輝度および撮像感度（ＩＳＯ感度）に基づいてシャッタスピードと絞り値を演算する。
【００１３】
電子カメラには、電源スイッチ３とレリーズボタン４とが設けられている。レリーズボタン４の押下操作に連動してオン／オフする半押しスイッチ４７および全押しスイッチ４８は、それぞれオン信号もしくはオフ信号を制御回路２００へ出力する。
【００１４】
制御回路２００は、再生ボタン１１１からの操作信号を入力すると、電子カメラの動作モードを、たとえば再生モードと撮影モードとの間で切り換える。再生モードには、１画像再生モード、拡大再生モード、サムネイル再生モード、および拡大サムネイル再生モードがある。後述するように、１画像再生モードは表示する画像データの画像全体を液晶モニタ２０５に表示するモードであり、拡大再生モードは後述する縮小ボタン１１３または拡大ボタン１１４の操作に応じて拡大率の変更された、画像データの画像全体の一部の領域を表す拡大再生画像を液晶モニタ２０５に表示するモードである。サムネイル再生モードおよび拡大サムネイル再生モードは後述する。再生モード選択を指示する信号を入力すると、制御回路２００は、液晶モニタ２０５に拡大再生モードの選択を促すカスタムメニューを表示する。メニューボタン１１２からの操作信号を入力すると、制御回路２００はカメラの各種動作を設定するためのメニュー画面を液晶モニタ２０５に表示する。液晶モニタ２０５は、液晶パネルおよびバックライト、表示制御部、表示用メモリ（ＶＲＡＭ）等を有する。表示用画像は、制御回路２００の指令により画像処理部等で作成された画像データや、記録媒体２０７に記憶された画像データ等の画像データに対応する画像である。
【００１５】
１画像再生モードにおいて画像データの画像全体を表す再生画像を表示中に縮小ボタン１１３が操作されると、制御回路２００によりサムネイル再生モードに移行する。また、拡大再生モードにおいて画像データの画像全体を表す再生画像を表示中に縮小ボタン１１３が操作されると、制御回路２００により後述する拡大サムネイル再生モードに移行する。拡大サムネイル再生モードにおいては、制御回路２００は、それぞれの画像のサイズが、たとえば１２０ドット×１６０ドットにリサイズされたサムネイル画像を液晶モニタ２０５に一覧表示する。
【００１６】
拡大再生モードにおいて拡大ボタン１１４の操作により拡大率が変更された拡大再生画像が表示されている際には、縮小ボタン１１３が押下操作されるたびに、制御回路２００は、再生表示中の画像を所定の縮小率ずつ縮小して液晶モニタ２０５に表示する。反対に、拡大ボタン１１４が押下操作されるたびに、制御回路２００は、再生表示中の画像を所定の拡大率ずつ拡大して液晶モニタ２０５に表示する。なお、拡大再生モードにおいて画像データの画像全体を表す再生画像が表示されている場合に縮小ボタン１１３が操作されると、拡大サムネイル再生モードに移行する。
【００１７】
拡大率（縮小率）の変更された拡大再生画像が液晶モニタ２０５に表示されている場合に拡大率決定ボタン１１５から操作信号を入力すると、制御回路２００は、そのとき表示されている拡大再生画像の拡大率と表示位置とを示す情報を拡大率データとして記録媒体２０７に記録する。表示位置は、後述するように、操作部材１１７の操作により変更された拡大再生画像の中心座標により定義される。拡大率データは各画像と対応付けて、記録媒体２０７の表示用画像データファイルとは異なるファイルに記録される。なお、この明細書では、このファイルをズームファイルと呼ぶ。また、各画像データに対応付けて記録される拡大率および表示位置と、液晶モニタ２０５の表示解像度等に基づいて液晶モニタ２０５へ表示される該画像データの表示領域が制御回路２００により算出される。
【００１８】
撮影モードにおいてコマンドダイヤル１１６が操作されると、制御回路２００は、撮像感度や露出モードなどを設定する。また、再生画像表示中においては、コマンドダイヤル１１６から出力される右方向操作信号が入力されると、制御回路２００は次画像を液晶モニタ２０５に表示する。左方向操作信号が入力されると、前画像を表示する。すなわち、コマンドダイヤル１１６が右方向に操作されると表示画像がコマ送りされ、左方向に操作されると表示画像がコマ戻しされる。
【００１９】
操作部材１１７は、たとえば十字キーなどで構成される。操作部材１１７の操作により、ユーザはメニュー画面上の各種メニューを選択できる。１画像再生モードにおいては、操作部材１１７の操作により、コマンドダイヤル１１６と同様に表示画像のコマ送りもしくはコマ戻しを行なうことができる。また、拡大再生モードにおいては、操作部材１１７の操作により拡大再生画像の中心位置が変更される。
【００２０】
ＯＫボタン１１８の操作により、制御回路２００は、拡大再生モードによる拡大再生画像の表示を終了して、電子カメラの動作を１画面再生モードに戻す。削除ボタン１１９は、制御回路２００が、プロテクト処理のかけられていない画像データをバッファメモリ２０６および記録媒体２０７から削除するときに用いられる。
【００２１】
次に、画像の再生表示について説明する。上述したように、この実施の形態のカメラでは、再生モードとして、１画像再生モードおよび拡大再生モードが設けられ、いずれか一方の再生モードにより、制御回路２００により画像が再生表示される。１画像再生モードは、制御回路２００により、表示する画像データの画像全体を液晶モニタ２０５に表示するモードである。拡大再生モードは、液晶モニタ２０５上に１画像再生モードにおいて再生表示された画像の表示倍率に対して表示倍率を拡大し、表示する画像データの画像全体の一部の領域、すなわち表示中の画像の拡大率や表示中心座標を変更した拡大再生画像を表示するモードである。さらに、拡大再生モードにおいては、制御回路２００は、変更された拡大率や中心座標を拡大率データとして各画像に対応付けて記録媒体２０７のズームファイルに記録する。次回以降同一の画像の拡大再生表示が指示された場合に、ズームファイルに記録された拡大率データを用いて拡大再生画像を生成して液晶モニタ２０５に表示する。すなわち、液晶モニタ２０５には、制御回路２００により、前回と同一の拡大率および中心座標を有する拡大再生画像が表示される。
【００２２】
−１画像再生モード−
再生ボタン１１１の操作により設定された１画像再生モードにおいて、制御回路２００は、バッファメモリ２０６もしくは記録媒体２０７に記録された再生画像ファイル情報を取得し、その再生画像ファイルの画像データを読み出す。読み出された画像データは、圧縮／伸張回路２０４により原画像データに伸張されて、必要に応じて液晶モニタ２０５の表示解像度にリサイズされて作成された画像全体を表す表示用画像が液晶モニタ２０５に再生表示される。なお、伸張された原画像データはバッファメモリ２０６に展開される。
【００２３】
−拡大再生モード−
拡大再生モードは、再生モード選択時に液晶モニタ２０５に表示されるカスタムメニューから選択することができる。あるいは、１画像再生モードにて画像データの画像全体を表す再生画像が表示されているときに拡大ボタン１１４が操作された場合に、拡大再生モードが設定される。
以下では、拡大再生モードが設定され、選択した画像データに対して初めて拡大率データが作成される場合について説明する。拡大率データが作成されるのは、次の３つの時点においてである。
（１）拡大率決定ボタン１１５が操作されたとき
（２）ＯＫボタン１１８が操作されたとき
（３）コマンドダイヤル１１６の操作によりコマ送りまたはコマ戻しされたとき
【００２４】
図３を参照して、上記（１）〜（３）のそれぞれの時点における拡大率データの作成について説明する。
【００２５】
（１）拡大率決定ボタン１１５が操作されたとき
図３（ａ）に示す１画像再生モードで再生画像が液晶モニタ２０５に表示されているとき、拡大ボタン１１４が操作されると、制御回路２００はバッファメモリ２０６に展開されている原画像データに対して、その中心座標Ｘを拡大中心座標として、拡大ボタン１１４の操作により設定された拡大率に応じた領域をトリミングする。そして、制御回路２００は、トリミングした領域を液晶モニタ２０５の表示解像度に合わせてリサイズ、すなわち拡大した表示用画像を液晶モニタ２０５に表示する。この拡大再生画像を図３（ｂ）に示す。さらに拡大ボタン１１４が操作されると、制御回路２００は、原画像データの中心座標Ｘを拡大中心座標として、拡大率が一段引き上げられた拡大画像データを生成し、図３（ｃ）に示す拡大再生画像を液晶モニタ２０５に表示する。拡大率決定ボタン１１５が操作されると、この時の拡大率と中心座標Ｘがバッファメモリ２０６に画像と対応付けられて記録される。
【００２６】
図３（ｃ）に示す拡大再生画像の表示中に縮小ボタン１１３が操作されると、制御回路２００は、原画像データの中心座標Ｘを拡大中心座標とし、拡大率が一段引き下げられた表示用画像データが作成され、液晶モニタ２０５に拡大再生画像として表示される（図３（ｂ）参照）。この場合も、拡大率決定ボタン１１５が操作されると、この時の拡大率と中心座標Ｘがバッファメモリ２０６に画像と対応付けられて記録される。
【００２７】
次に、中心位置座標の変更について説明する。
拡大再生画像が図３（ｂ）に示す状態で表示されている時に、操作部材１１７の操作により拡大再生画像の中心が変更されると、制御回路２００は次のようにして表示用画像データを生成する。バッファメモリ２０６に記録されている原画像データを用いて、変更後の中心位置座標を中心として現在の拡大率で拡大した表示用画像を生成する。図３（ｄ）はこのようにして中心位置ＸをＹに変更した拡大再生画像の表示例である。拡大率決定ボタン１１５が操作されると、この時の拡大率とともに中心位置座標Ｙもバッファメモリ２０６に画像と対応付けられて記録される。
【００２８】
以後、縮小ボタン１１３または拡大ボタン１１４の操作により、拡大再生画像が縮小もしくは拡大される場合には、更新された中心座標Ｙを拡大中心座標として表示される画像データの拡大率が変更される。すなわち、図３（ｄ）の状態で拡大を指示すると、図３（ｅ）に示す拡大再生画像が表示される。そして、拡大率決定ボタン１１５が操作されると、図３（ｅ）の画像データの拡大率と中心座標Ｙとが画像と対応付けられて記録媒体２０７のズームファイル内に記録される。なお、図３（ｄ）および（ｅ）では、後で詳細に説明するナビ画面３００が表示されている。
【００２９】
（２）ＯＫボタン１１８が操作されたとき
図３（ｂ）〜（ｅ）に示すいずれかの拡大再生画像が液晶モニタ２０５に表示されているときにＯＫボタン１１８からオン信号を入力すると、制御回路２００は、拡大率決定ボタン１１５からオン信号を入力した場合と同様に、拡大率データを画像データに対応付けて、記録媒体２０７のズームファイル内に記録する。そして、制御回路２００は、拡大再生モードを終了して、電子カメラの動作を１画像再生モードに設定する。
【００３０】
（３）コマンドダイヤル１１６が操作されたとき
図３（ｂ）〜（ｅ）に示すいずれかの拡大再生画像が液晶モニタ２０５に表示されているとき、ユーザによりコマンドダイヤル１１６が操作された場合について説明する。制御回路２００がコマンドダイヤル１１６から右方向操作信号、もしくは左方向操作信号を入力すると、制御回路２００は、コマ送りもしくはコマ戻し操作に応じて、次画像ファイルまたは前画像ファイルを取得する。このとき、拡大率決定ボタン１１５またはＯＫボタン１１８が操作された場合と同様に、拡大率データが画像データに対応付けされて記録媒体２０７のズームファイルに記録される。
【００３１】
上述のようにして拡大率データが作成され記録されると、拡大再生モードにおいて図３（ａ）に示す画像の表示が指定された場合は、制御回路２００は、図３（ａ）に示す画像に対応する画像データと拡大率データとを用いて拡大再生画像を生成する。その結果、たとえば、制御回路２００により、図３（ｅ）に示す拡大再生画像が表示される。
【００３２】
次に、拡大再生モードにおいて画像を切り替えて表示する場合について説明する。以下の説明においては、記録媒体２０７には画像データＡ、Ｂ、Ｃが記録され、ズームファイルには画像データＡに対応する拡大率データＡ、および画像データＣに対応する拡大率データＣが記録されているものとする。なお、画像データＢに対応する拡大率データは記録されていないものとして説明する。
【００３３】
拡大再生モードに設定されると、制御回路２００は、記録媒体２０７から画像データＡを読み出す。さらに、制御回路２００は、記録媒体２０７のズームファイルから、画像データＡに対応する拡大率データＡを読み出す。制御回路２００は、読み出した拡大率データＡの拡大率と中心座標Ｙとを用いて、画像データＡから拡大再生画像データＡＬを生成する。そして、制御回路２００は、生成した拡大再生画像データＡＬをバッファメモリ２０６に展開するとともに、拡大再生画像データＡＬに対応する拡大再生画像ＡＬを液晶モニタ２０５に表示する。
【００３４】
拡大再生画像ＡＬが表示されているときに、コマンドダイヤル１１６の操作によりコマ送り指示、すなわち画像データＢに対応する画像Ｂの表示指示がされたとする。この場合、制御回路２００は、記録媒体２０７から画像データＢを読み出す。しかし、画像データＢに対応する拡大率データＢはズームファイルに記録されていないので、制御回路２００は、画像データＢをバッファメモリ２０６に展開し、画像データＢに対応する画像Ｂを液晶モニタ２０５に表示する。すなわち、拡大率データを備えていない画像データについては、制御回路２００は画像データＢの画像全体を表す表示用画像を表示する。
【００３５】
画像Ｂが表示されているときに、コマンドダイヤル１１６の操作によりコマ送り指示されると、制御回路２００は、画像データＡの場合と同様にして、画像データＣと拡大率データＣとを用いて、拡大再生画像データＣＬを生成する。そして、制御回路２００は、拡大再生画像データＣＬをバッファメモリ２０６に展開し、拡大再生画像データＣＬに対応する拡大再生画像ＣＬを液晶モニタ２０５に表示する。
【００３６】
なお、コマンドダイヤル１１６の操作によりコマ戻しが指示された場合においても、制御回路２００は、上述と同様にして、画像データに対応する拡大率データが記録されている場合は、拡大再生画像データを生成する。そして、制御回路２００は、拡大再生画像データに対応する拡大画像を表示する。拡大率データが記録されていない場合は、制御回路２００は、画像データの画像全体を表す表示用画像を表示する。
【００３７】
１画像再生モードで上述した画像Ａが表示されているときに、拡大ボタン１１４が操作された場合について説明する。この場合、制御回路２００は、画像データＡに対応する拡大率データＡをズームファイルから読み出す。そして、バッファメモリ２０６に展開されている画像データＡを用いて、拡大率データＡに基づいて拡大再生画像データＡＬを生成する。そして、制御回路２００は、拡大再生画像データＡＬに対応する拡大再生画像ＡＬを液晶モニタ２０５に表示する。
【００３８】
１画像再生モードで上述した画像Ｂが表示されているときに、拡大ボタン１１４が操作された場合は、拡大率データＢは記録されていないので、制御回路２００は拡大率データＢに基づく拡大再生画像データを生成しない。すなわち、制御回路２００は、拡大ボタン１１４の操作に応じて、図３を用いて説明した場合と同様にして、画像の拡大率を変更する。
【００３９】
上述の様にして拡大率データに基づいて生成された拡大再生画像が表示されているときに、拡大ボタン１１４または縮小ボタン１１３が操作された場合についても、制御回路２００は、拡大操作もしくは縮小操作に応じて、表示中の拡大再生画像の拡大率を変更する。また、操作部材１１７により表示位置の変更操作が行われた場合についても、制御回路２００は、表示位置の変更操作に応じて、表示中の拡大再生画像の表示位置、すなわち中心座標Ｙを変更する。
【００４０】
−ナビ画面−
上述したように、再生画像が拡大表示されている場合に縮小ボタン１１３、拡大ボタン１１４による縮小、拡大操作、または操作部材１１７による液晶モニタ２０５上の再生画像に対する上下左右方向への移動操作が行われると、制御回路２００はナビ画面３００を表示する。図３（ｄ）、（ｅ）に示すように、ナビ画面３００は再生画像の全体を表す小画面であり、液晶モニタ２０５の所定の小範囲に、拡大表示中の再生画像に半透過状態で重畳して表示される。ナビ画面３００内の枠３０１は、拡大表示中の再生画像が、再生画像全体に対して占有する位置を示すものである。なお、ナビ画面３００は縮小ボタン１１３、拡大ボタン１１４および操作部材１１７の操作後、所定時間、たとえば２秒間だけ表示される。
【００４１】
−拡大サムネイル再生モード−
拡大再生モードにおいて、液晶モニタ２０５に画像データの画像全体を表す再生画像が表示されているときに縮小ボタン１１３が操作されると、制御回路２００は拡大サムネイル再生モードを設定する。拡大サムネイル再生モードにおいては、制御回路２００は、拡大率データを有する画像データについては、拡大率と中心座標Ｙにより算出された表示領域を示すデータに基づいて拡大再生画像を生成し、サムネイル画像のサイズにリサイズする。拡大率データを保有しない画像データについては、制御回路２００は画像データの画像全体を表すサムネイル画像を生成する。そして、制御回路２００は、複数の画像を液晶モニタ２０５に表示する。
【００４２】
次に、図４、図５に示すフローチャートを用いて、実施の形態よるカメラの再生画像表示の動作における各処理について説明する。なお、このフローチャートに示す各処理は、制御回路２００によりプログラムを実行して行われる。また、このフローチャートは再生ボタン１１１からオン信号が入力されると開始される。
【００４３】
ステップＳ１０２においては、カスタムメニューから拡大再生モードの設定が選択されたか否かを判定する。拡大再生モードが選択された場合、ステップＳ１０２が肯定判定されてステップＳ１０３へ進む。ステップＳ１０３においては、後述の拡大再生モードのサブルーチンを呼び出し、拡大再生処理を行なう。拡大再生モードが選択されない場合、すなわち１画像再生モードが選択された場合は、ステップＳ１０２が否定判定されてステップＳ１０４へ進む。
【００４４】
ステップＳ１０４においては、所定の再生画像ファイルの画像データ、たとえば最新の１枚の画像データをバッファメモリ２０６または記録媒体２０７から読み出してステップＳ１０５へ進む。ステップＳ１０５において、圧縮／伸張回路２０４により、ステップＳ１０４で読み出した画像データを原画像データに伸張し、バッファメモリ２０６に展開してステップＳ１０６へ進む。ステップＳ１０６では、ステップＳ１０５で伸張された画像データを、再生画像として液晶モニタ２０５に表示してステップＳ１０７へ進む。
【００４５】
ステップＳ１０７において、再生ボタン１１１が操作されたか否かを判定する。再生ボタン１１１が操作されオフ信号を入力した場合は、ステップＳ１０７が肯定判定されてステップＳ１０８へ進む。ステップＳ１０８では、１画像再生モードを終了し、さらに液晶モニタ２０５をオフして一連の処理を終了する。再生ボタン１１１が操作されずオフ信号を入力しない場合は、ステップＳ１０７が否定判定されてステップＳ１０９へ進む。
【００４６】
ステップＳ１０９においては、メニューボタン１１２が操作されたか否かを判定する。メニューボタン１１２からオン信号を入力した場合は、ステップＳ１０９が肯定判定されてステップＳ１１０へ進む。ステップＳ１１０においては、１画像再生モードを終了するとともに、液晶モニタ２０５に各種設定を行なうためのメニュー画面を表示して一連の処理を終了する。メニューボタン１１２が操作されずオン信号を入力しない場合は、ステップＳ１０９が否定判定されてステップＳ１１１へ進む。
【００４７】
ステップＳ１１１においては、拡大ボタン１１４が操作されたか否かを判定する。拡大ボタン１１４が操作されてオン信号を入力した場合は、ステップＳ１１１が肯定判定されてステップＳ１１２へ進む。ステップＳ１１２においては、ステップＳ１０３と同様に、拡大再生モードのサブルーチンを呼び出し、拡大再生処理を行なう。拡大ボタン１１４が操作されずオン信号を入力しない場合は、ステップＳ１１１が否定判定されてステップＳ１１３へ進む。
【００４８】
ステップＳ１１３では、縮小ボタン１１３が操作されたか否かを判定する。縮小ボタン１１３が操作されてオン信号を入力した場合は、ステップＳ１１３が肯定判定されてステップＳ１１４へ進む。ステップＳ１１４においては、液晶モニタ２０５に再生画像をサムネイル表示する。縮小ボタン１１３が操作されずオン信号を入力しない場合は、ステップＳ１１３が否定判定されてステップＳ１１５へ進む。
【００４９】
ステップＳ１１５では、コマンドダイヤル１１６の右方向操作もしくは操作部材１１７の右ボタンが操作されたか否かを判定する。コマンドダイヤル１１６から右方向操作信号もしくは操作部材１１７の右ボタンからオン信号を入力した場合は、ステップＳ１１５が肯定判定されてステップＳ１１６へ進む。ステップＳ１１６では、液晶モニタ２０５に表示中の再生画像の次の画像ファイルを取得してステップＳ１０４へ戻る。コマンドダイヤル１１６から右方向操作信号もしくは操作部材１１７の右ボタンからオン信号を入力しない場合は、ステップＳ１１５が否定判定されてステップＳ１１７へ進む。
【００５０】
ステップＳ１１７においては、コマンドダイヤル１１６の左方向操作もしくは操作部材１１７の左ボタンが操作されたか否かを判定する。コマンドダイヤル１１６から左方向操作信号もしくは操作部材１１７の左ボタンからオン信号を入力した場合は、ステップＳ１１７が肯定判定されてステップＳ１１８へ進む。ステップＳ１１８では、液晶モニタ２０５に表示中の再生画像の前の画像ファイルを取得してステップＳ１０４へ戻る。コマンドダイヤル１１６から左方向操作信号もしくは操作部材１１７の左ボタンからオン信号を入力しない場合は、ステップＳ１１７が否定判定されてステップＳ１０６へ戻る。
【００５１】
図４のステップＳ１０３およびＳ１１２における拡大再生のサブルーチンについて、図５に示すフローチャートを用いて説明する。
ステップＳ２０１において、画像データを読み出しステップＳ２０２へ進む。ステップＳ２０２においては、ステップＳ２０１で読み出した画像データをバッファメモリ２０６に展開してステップＳ２０３へ進む。
【００５２】
ステップＳ２０３においては、ステップＳ２０１で読み出した画像データに対応する拡大率データが記録されているか否かを判定する。拡大率データが記録されている場合は、ステップＳ２０３が肯定判定されてステップＳ２０４へ進む。ステップＳ２０４においては、拡大率と中心座標Ｙに基づいて拡大再生画像データを生成してステップＳ２０５へ進む。ステップＳ２０５においては、ステップＳ２０４で生成した拡大再生画像データに対応する拡大再生画像を液晶モニタ２０５に表示してステップＳ２０７へ進む。拡大率データが記録されていない場合は、ステップＳ２０３が否定判定されて、ステップＳ２０６へ進む。ステップＳ２０６においては、画像データの画像全体を表す表示用画像を液晶モニタ２０５に表示してステップＳ２０７へ進む。
【００５３】
ステップＳ２０７（再生ボタン操作判定）およびステップＳ２０８（再生モード終了、モニタ表示終了）までの各処理は、ステップＳ１０７（再生ボタン操作判定）およびステップＳ１０８（再生モード終了、モニタ表示終了）までの各処理と同様の処理を行なう。
【００５４】
ステップＳ２０９において、拡大ボタン１１４が操作されたか否かを判定する。拡大ボタン１１４からオン信号を入力した場合は、ステップＳ２０９が肯定判定されてステップＳ２１０へ進む。ステップＳ２１０では、拡大再生画像データの拡大率を一段引き上げてステップＳ２１１へ進む。ステップＳ２１１においては、一段引き上げた拡大率をバッファメモリ２０６に記録してステップＳ２０４へ戻る。拡大ボタン１１４が操作されずオン信号を入力しない場合は、ステップＳ２０９が否定判定されてステップＳ２１２へ進む。
【００５５】
ステップＳ２１２においては、縮小ボタン１１３が操作されたか否かを判定する。縮小ボタン１１３が操作されてオン信号を入力した場合は、ステップＳ２１２が肯定判定されてステップＳ２１３へ進む。ステップＳ２１３では、バッファメモリ２０６に記録された拡大率を参照して、画像データの画像全体を表す再生画像が表示されているか、すなわち１画像再生か否かを判定する。画像データの画像全体を表す再生画像が表示されている場合はステップＳ２１３が肯定判定されてステップＳ２１４へ進む。ステップＳ２１４においては、拡大サムネイル再生モードを設定して、複数の画像を液晶モニタ２０５に表示する。画像データの画像全体を表す再生画像が表示されていない場合は、ステップＳ２１３が否定判定されてステップＳ２１５へ進む。ステップＳ２１５では、拡大再生用画像データの拡大率を一段引き下げてステップＳ２１６へ進む。ステップＳ２１６においては、一段引き下げされた拡大率をバッファメモリ２０６に記録してステップＳ２０４へ戻る。
【００５６】
縮小ボタン１１３が操作されずオン信号を入力せず、ステップＳ２１２が否定判定された場合は、ステップＳ２１７へ進む。ステップＳ２１７においては、操作部材１１７が操作されたか否かを判定する。操作部材１１７から操作信号を入力する場合は、ステップＳ２１７が肯定判定されてステップＳ２１８へ進む。ステップＳ２１８においては、操作部材１１７の操作方向に応じて拡大再生画像データの中心座標Ｙを移動してステップＳ２１９へ進む。ステップＳ２１９においては、移動した中心座標Ｙをバッファメモリ２０６に記録してステップＳ２０４へ戻る。操作部材１１７から操作信号を入力しない場合は、ステップＳ２１７が否定判定されてステップＳ２２０へ進む。
【００５７】
ステップＳ２２０においては、ＯＫボタン１１８が操作されたか否かを判定する。ＯＫボタン１１８からオン信号を入力する場合は、ステップＳ２２０が肯定判定されてステップＳ２２１へ進む。ステップＳ２２１では、表示中の画像に対応する拡大再生画像データの拡大率および中心座標Ｙに基づいて拡大率データを作成し、記録媒体２０７のズームファイルに記録して、図４のステップＳ１０６に戻る。ＯＫボタン１１８からオン信号を入力しない場合は、ステップＳ２２０が否定判定されてステップＳ２２２へ進む。
【００５８】
ステップＳ２２２では、コマンドダイヤル１１６が右方向へ操作されたか否かを判定する。コマンドダイヤル１１６から右方向への操作信号を入力した場合は、ステップＳ２２２が肯定判定されてステップＳ２２３へ進む。ステップＳ２２３においては、ステップＳ２２１と同様に、拡大率データを作成および記録してステップＳ２２４へ進み、液晶モニタ２０５に表示中の再生画像の次画像のファイルの情報を取得してステップＳ２０１へ戻る。コマンドダイヤル１１６から右方向への操作信号を入力しない場合は、ステップＳ２２２が否定判定されてステップＳ２２５へ進む。
【００５９】
ステップＳ２２５においては、コマンドダイヤル１１６が左方向へ操作されたか否かを判定する。コマンドダイヤル１１６から左方向への操作信号を入力した場合は、ステップＳ２２５が肯定判定されてステップＳ２２６へ進む。ステップＳ２２６においては、ステップＳ２２１、Ｓ２２３と同様に、拡大率データを作成および記録してステップＳ２２７へ進み、液晶モニタ２０５に表示中の再生画像の前画像のファイルの情報を取得してステップＳ２０１へ戻る。コマンドダイヤル１１６から左方向への操作信号を入力しない場合は、ステップＳ２２５が否定判定されてステップＳ２２８へ進む。
【００６０】
ステップＳ２２８においては、拡大率決定ボタン１１５が操作されたか否かを判定する。拡大率決定ボタン１１５からオン信号を入力する場合は、ステップＳ２２８が肯定判定されてステップＳ２２９へ進む。ステップＳ２２９においては、ステップＳ２２１、Ｓ２２３およびＳ２２６と同様に、表示中の画像に対応する拡大再生画像データの拡大率および中心座標Ｙに基づいて拡大率データを作成し、記録媒体２０７のズームファイルに記録してステップＳ２０７へ戻る。拡大率決定ボタン１１５からオン信号を入力しない場合は、ステップＳ２２８が否定判定されてステップＳ２０７へ戻る。
【００６１】
以上で説明した実施の形態における電子カメラによれば、以下の作用効果が得られる。
（１）制御回路２００は、拡大再生モードにおいて設定された拡大率と中心座標Ｙを示す情報、すなわち拡大画像情報を拡大率データとして記録媒体２０７に記録するようにした。この拡大率データは、制御回路２００により、画像データと対応付けされて、記録媒体２０７内の画像データが記録されている領域とは異なるズームファイルに記録される。したがって、それぞれの画像に対応した拡大画像情報である拡大率データを記録するようにしたので、画像ごとにユーザの好みに合った拡大再生画像を表示することができる。
【００６２】
（２）制御回路２００は、拡大再生モードで拡大再生画像が表示されているときに、拡大率決定ボタン１１５からオン信号を入力すると、液晶モニタ２０５に表示されている画像の拡大率と中心座標Ｙとに基づいた拡大率データを記録媒体２０７に記録するようにした。したがって、ユーザが閲覧しながら決定した拡大再生画像の拡大率と中心座標Ｙとが記録されるので、次回以降に同一画像を表示する場合であっても、ユーザの好みに適合した画像を表示することができる。
【００６３】
（３）制御回路２００は、拡大再生モードで画像が表示されているときに、ＯＫボタン１１８からオン信号を入力して１画像再生モードへの切り替えが指示されると、その時点で表示されていた画像に基づいて拡大率データを作成して、記録媒体２０７に記録するようにした。したがって、拡大再生モードの終了操作に際して拡大率データを記録することができるので、操作性が向上する。
【００６４】
（４）制御回路２００は、拡大再生モードで画像が表示されているときに、コマンドダイヤル１１６から右方向操作信号または左方向操作信号を入力して、コマ送りまたはコマ戻しが指示されると、その時点で表示されていた画像に基づいて拡大率データを作成して、記録媒体２０７に記録するようにした。したがって、誤操作などによりコマ送りまたはコマ戻しした場合であっても、それまでの操作で設定した拡大率と中心座標Ｙが記録されるので、ユーザは再び煩雑な操作を繰り返して拡大率と中心座標を設定する手間から開放される。
【００６５】
（５）制御回路２００は、記録媒体２０７に記録された画像データとその画像データに対応付けされた拡大率データとを用いて、拡大再生画像データを生成するようにした。したがって、原画像データとは別に拡大再生画像データを記録媒体２０７に記録しないので、記録媒体２０７の使用容量を抑えることができる。
【００６６】
（６）制御回路２００は、拡大再生モードにおいてコマンドダイヤル１１６からのコマ送りまたはコマ戻し操作により表示する画像が指定されると、指定された画像に対応する画像データと、その画像データに対応付けされた拡大率データとを用いて拡大再生画像データを生成する。そして、制御回路２００は、拡大再生画像データに対応する拡大再生画像を液晶モニタ２０５に表示するようにした。したがって、ユーザは、表示される画像が切り替わるごとに、好みの拡大率と中心位置を設定する必要がないので、利便性が向上する。
【００６７】
（７）制御回路２００は、１画像再生モードにおいて画像が表示されているときに、拡大ボタン１１４からオン信号を入力すると、表示中の画像に対応する拡大率データを用いて拡大再生画像データを作成する。そして、制御回路２００は、作成した拡大再生画像データに対応する拡大再生画像を液晶モニタ２０５に表示するようにした。したがって、ユーザは、同一画像を再生表示するたびに拡大率と中心位置とを設定する必要がなくなるので、煩雑な操作から開放される。
【００６８】
（８）制御回路２００は、拡大サムネイル再生モードが設定されている場合は、拡大率データを有する画像データについては、拡大画像を生成してサムネイル画像のサイズにリサイズする。拡大率データを保有しない画像データについては、制御回路２００は画像データの画像全体を表すサムネイル画像を生成する。そして、制御回路２００は、複数のサムネイル画像を液晶モニタ２０５に表示するようにした。したがって、ユーザは、サムネイル表示においても拡大された画像を確認することができるので、利便性が向上する。
【００６９】
以上で説明した実施の形態の電子カメラを、以下のように変形できる。
拡大率データを記録媒体２０７のズームファイルに記録するものに代えて、画像ファイルの所定の記録領域に記録するようにしてもよい。この場合、制御回路２００は、拡大率データを、たとえば画像ファイルのＥＸＩＦ情報としてＥＸＩＦタグ部に書き込む。ＥＸＩＦ情報とは、画像ファイルに添付されている画像の各種情報をＥＸＩＦ規格に則って記録したものである。ＥＸＩＦ情報として、画像を撮影したカメラの機種、カメラのシリアル番号を記録する領域、撮影日時を記録する領域、各種撮影条件を記録する領域、各ベンダーが任意に使用できる任意領域などが含まれる。制御回路２００は、拡大率データを任意領域に記録すればよい。
【００７０】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００７１】
【図１】本発明の実施の形態によるカメラの外観を示す背面図である。
【図２】実施の形態によるカメラの要部構成図である。
【図３】拡大表示された再生画像を説明する図である。
【図４】１画像再生モードにおけるカメラの動作を説明するフローチャートである。
【図５】拡大再生モードにおけるカメラの動作を説明するフローチャートである。
【符号の説明】
【００７２】
１１１  再生ボタン            １１３  縮小ボタン
１１４  拡大ボタン            １１５  拡大率決定ボタン
１１６  コマンドダイヤル      １１７  操作部材
１１８  ＯＫボタン            ２００  制御回路
２０５  液晶モニタ            ２０６  バッファメモリ
２０７  記録媒体
【図１】
2008263350.tif 000003
【図２】
2008263350.tif 000004
【図３】
2008263350.tif 000005
【図４】
2008263350.tif 000006
【図５】
2008263350.tif 000007